(57)【要約】【課題】演出効果を高めることができる画像表示装置、及び遊技機の提供。【解決手段】画像表示装置７は、ＬＣＤユニット７１と、ＬＣＤユニット７１の表示面７１Ａに沿って所定方向に延出する一対の延出部８Ａを有し、所定方向と直交する方向に隣接して表示面７１Ａに設けられる３つの枠状部材８と、延出部８Ａ間に設けられ、表示面７１Ａに対して傾斜するとともに、表示面７１Ａの法線方向とは反対方向に向かう光を延出部８Ａにそれぞれ反射する２つの反射面７４１を有する反射部材７４と、各枠状部材８を所定方向に沿って摺動させる駆動手段とを備える。また、延出部８Ａには、反射部材７４側に開口８１が形成され、開口８１の内部には、反射面７４１から離間した位置にある表示面７１Ａの表示領域７１Ａ１に所定の画像が表示される。そして、反射面７４１から所定の画像に至る光路は、反射面７４１から表示面７１Ａに至る光路と比較して長い。【選択図】図４
2010220719.tif 000002
【特許請求の範囲】
【請求項１】
画像を表示する表示手段を備える画像表示装置であって、
前記表示手段の表示面に沿って所定方向に延出する一対の延出部を有し、前記所定方向
と直交する方向に隣接して前記表示面に設けられる複数の枠状部材と、
隣接する前記枠状部材における前記延出部の間に設けられ、前記表示面に対して傾斜す
るとともに、前記表示面の法線方向とは反対方向に向かう光を前記延出部にそれぞれ反射
する２つの反射面を有する反射部材と、
前記各枠状部材を前記所定方向に沿って摺動させる駆動手段とを備え、
前記延出部には、前記反射部材側に開口が形成され、
前記開口の内部には、前記反射面から離間した位置に所定の絵柄が設けられ、
前記反射面から前記絵柄に至る光路は、前記反射面から前記表示面に至る光路と比較し
て長いことを特徴とする画像表示装置。
【請求項２】
請求項１に記載の画像表示装置において、
前記開口の内部には、前記表示面が露出するとともに、前記反射部材の反射面と平行し
、かつ、前記直交方向に対向する反射面を有する対向部材が設けられ、
前記絵柄は、前記表示面に表示される画像であることを特徴とする画像表示装置。
【請求項３】
請求項２に記載の画像表示装置において、
前記対向部材の反射面は、前記反射部材の反射面と比較して前記表示面の法線方向に突
出していることを特徴とする画像表示装置。
【請求項４】
請求項１から請求項３のいずれかに記載の画像表示装置において、
前記開口には、前記開口を介して前記表示面に向かう光を遮断する偏光板が設けられて
いることを特徴とする画像表示装置。
【請求項５】
請求項１から請求項４のいずれかに記載の画像表示装置を備えることを特徴とする遊技
機。
【発明の詳細な説明】
【技術分野】
【０００１】
本発明は、画像表示装置、及び遊技機に関する。
【背景技術】
【０００２】
従来、画像を表示する液晶パネル等の表示手段を備える画像表示装置と、この画像表示
装置を備えたパチンコ機やパチスロ機等の遊技機が知られている（例えば、特許文献１参
照）。
特許文献１に記載のパチンコ機では、遊技盤に設けられた入賞口に遊技球が入賞すると
、主制御装置が抽選処理を開始する。そして、主制御装置は、抽選処理の結果に応じた所
定の画像を表示手段に表示させる。
また、表示手段に表示される画像は、例えば、表示領域に向かって３列の領域に仮想的
に分割され、各領域において、図柄を列方向に沿って変動させる。そして、遊技機は、各
図柄の変動を停止させた状態において、行方向に同一の図柄を揃えることで抽選処理に当
選したことを遊技者に示す。
【先行技術文献】
【特許文献】
【０００３】
【特許文献１】特開２００１−１１２９３８号公報
【発明の概要】
【発明が解決しようとする課題】
【０００４】
しかしながら、特許文献１に記載のパチンコ機では、表示領域内における図柄の動きや
画像のみで抽選処理に関する演出をしているので、演出による効果が十分に期待できない
という問題がある。
【０００５】
本発明の目的は、演出効果を高めることができる画像表示装置、及び遊技機を提供する
ことにある。
【課題を解決するための手段】
【０００６】
本発明の画像表示装置は、画像を表示する表示手段を備える画像表示装置であって、前
記表示手段の表示面に沿って所定方向に延出する一対の延出部を有し、前記所定方向と直
交する方向に隣接して前記表示面に設けられる複数の枠状部材と、隣接する前記枠状部材
における前記延出部の間に設けられ、前記表示面に対して傾斜するとともに、前記表示面
の法線方向とは反対方向に向かう光を前記延出部にそれぞれ反射する２つの反射面を有す
る反射部材と、前記各枠状部材を前記所定方向に沿って摺動させる駆動手段とを備え、前
記延出部には、前記反射部材側に開口が形成され、前記開口の内部には、前記反射面から
離間した位置に所定の絵柄が設けられ、前記反射面から前記絵柄に至る光路は、前記反射
面から前記表示面に至る光路と比較して長いことを特徴とする。
【０００７】
このような構成によれば、表示面の法線方向とは反対方向、すなわち画像表示装置の観
察者による観察方向に向かう光は、隣接する枠状部材における延出部の間（以下、延出部
間とする）においては、反射部材の各反射面にて反射される。そして、反射部材の各反射
面にて反射された光は、延出部の開口を介して開口内に設けられた所定の絵柄に到達する
。ここで、反射部材の各反射面から絵柄に至る光路は、反射部材の各反射面から表示面に
至る光路と比較して長いので、観察者から見た絵柄までの光路は、枠状部材の内側にある
表示面までの光路と比較して長くなる。
【０００８】
したがって、観察者からは、延出部間に見える絵柄は、枠状部材の内側にある表示面よ
りも遠くに見えることとなる。
そして、画像表示装置は、各枠状部材を所定方向に沿って摺動させる駆動手段を備える
ので、駆動手段にて各枠状部材を摺動させることで、各枠状部材は、それぞれ独立した表
示面を有しているように見えることとなる。よって、画像表示装置は、１つの表示面の表
示領域内における図柄の動きや画像のみで抽選処理に関する演出をする場合と比較して演
出効果を高めることができる。
【０００９】
本発明では、前記開口の内部には、前記表示面が露出するとともに、前記反射部材の反
射面と平行し、かつ、前記直交方向に対向する反射面を有する対向部材が設けられ、前記
絵柄は、前記表示面に表示される画像であることが好ましい。
【００１０】
このような構成によれば、観察者は、延出部間を見るときに、表示面に表示される画像
を見ることとなるので、表示面に表示させる画像を制御することで更に演出効果を高める
ことができる。
また、観察者は、延出部間を見るときに、各延出部における開口の内部に露出する２つ
の画像を併せて連続的に見ることとなる。ここで、対向部材の反射面は、反射部材の反射
面と平行し、かつ、直交方向に対向しているので、観察者は、観察方向からずれた方向か
ら延出部間を見る場合であっても各延出部における開口の内部に露出する各画像を併せて
連続的に見ることができ、適切な画像を観察することができる。
【００１１】
本発明では、前記対向部材の反射面は、前記反射部材の反射面と比較して前記表示面の
法線方向に突出していることが好ましい。
【００１２】
ここで、対向部材の反射面が、反射部材の反射面と比較して表示面の法線方向に突出し
ていない場合には、観察者は、観察方向から大きくずれた方向から延出部間を見ると、反
射部材の反射面にて反射された光の一部は対向部材の反射面に向かわなくなるので、適切
な画像を観察することができない。
本発明によれば、対向部材の反射面は、反射部材の反射面と比較して表示面の法線方向
に突出しているので、観察者は、観察方向から大きくずれた方向から延出部間を見る場合
であっても適切な画像を観察することができる。
【００１３】
本発明では、前記開口には、前記開口を介して前記表示面に向かう光を遮断する偏光板
が設けられていることが好ましい。
【００１４】
ここで、観察者は、観察方向からずれた方向から延出部間を見る場合に、直接的に表示
面を見ることとなると、延出部間に見える絵柄までの光路は、枠状部材の内側にある表示
面までの光路と同じになる。このため、観察者からは、延出部間に見える絵柄は、枠状部
材の内側にある表示面と同じ距離に見えることとなる。
本発明によれば、開口には、開口を介して表示面に向かう光を遮断する偏光板が設けら
れているので、観察方向からずれた方向から延出部間を見る場合であっても延出部間に見
える絵柄までの光路を、枠状部材の内側にある表示面までの光路と比較して確実に長くす
ることができる。したがって、観察者からは、延出部間に見える絵柄は、枠状部材の内側
にある表示面よりも確実に遠くに見えることとなる。
【００１５】
本発明の遊技機は、前述した画像表示装置を備えることを特徴とする。
このような構成によれば、遊技機は、前述した画像表示装置を備えるので、前述した画
像表示装置と同様の作用効果を奏することができる。
【図面の簡単な説明】
【００１６】
【図１】本発明の一実施形態に係るパチンコ機を示す概要斜視図。
【図２】前記実施形態における遊技機本体の概略構成を示すブロック図。
【図３】前記実施形態における画像表示装置を前面側から見た図。
【図４】前記実施形態における画像表示装置の延出部間を直交方向に切った断面を示す図。
【発明を実施するための形態】
【００１７】
以下、本発明の一実施形態を図面に基づいて説明する。
〔パチンコ機の概略構成〕
図１は、本発明の一実施形態に係るパチンコ機１を示す概要斜視図である。
本実施形態のパチンコ機１は、本発明の遊技機に相当し、遊技者の操作により、遊技球
を遊技盤上に射出して、射出された遊技球が遊技盤に設けられた入賞口等に入賞した場合
に、所定数の遊技球を払い出すものである。このパチンコ機１は、図１に示すように、枠
体２と、枠体２内に収納される遊技機本体３とを備えて構成されている。
遊技機本体３は、図１に示すように、枠体２の前面側に取り付けられる遊技盤３１と、
遊技盤３１の前面を覆う透光板を有する前扉３２と、遊技球を発射するためのハンドル３
３と、後述する払出装置５（図２参照）から払い出された遊技球を貯める上皿３４および
下皿３５とを備えて構成されている。
【００１８】
遊技盤３１は、ハンドル３３から打ち出された遊技球を導くレール３１１によって囲ま
れた略円形状の遊技領域３１Ａを有し、遊技領域３１Ａには、適所に遊技球の軌道を変更
する複数の釘３１２が配設されている。また、遊技盤３１の略中央、すなわち、遊技領域
３１Ａの略中央には、略横長長方形状の開口３１Ｂが形成され、開口３１Ｂは、透光性の
基板３１３により覆われている。
この開口３１Ｂの左右両側には、遊技球が入賞する２つの入賞口３１４が設けられてい
る。また、開口３１Ｂの下方略中央には、遊技球が入賞すると後述する制御装置４（図２
参照）に抽選処理を実行させる始動入賞口３１５が設けられ、始動入賞口３１５の下方に
は、抽選処理により大当りとなった場合に開放される大入賞口３１６が設けられている。
さらに、遊技領域３１Ａの下端には、入賞口３１４，３１５，３１６に入賞しなかった遊
技球を回収する回収口３１７が形成されている。
【００１９】
図２は、遊技機本体３の概略構成を示すブロック図である。
遊技機本体３は、図２に示すように、制御装置４と、払出装置５と、音声出力装置６と
、画像表示装置７とを備える。
制御装置４は、ＣＰＵ４１と、ＲＯＭ（Read Only Memory）４２と、ＲＡＭ（Random A
ccess Memory）４３とが実装された回路基板（図示省略）を備える。
制御手段としてのＣＰＵ４１は、抽選処理を行う他、パチンコ機１の装置全体を制御す
るものであり、払出装置５、音声出力装置６、及び画像表示装置７に制御信号を出力する
。
ＲＯＭ４２は、パチンコ機１全体を制御するための制御プログラムや、各種データなど
が格納されている。
ＲＡＭ４３は、ＣＰＵ４１の作業メモリーとして利用され、各種データが一時的に記憶
される。
【００２０】
払出装置５は、遊技球が入賞口３１４，３１５，３１６に入賞した場合に、ＣＰＵ４１
による制御の下、所定数の遊技球の払い出しを行う。
音声出力装置６は、音声を出力するスピーカー（図示省略）等を備えて構成され、ＣＰ
Ｕ４１による制御の下、画像表示装置７の動作と連動して音声による演出を行う。
【００２１】
画像表示装置７は、ＣＰＵ４１による抽選処理の結果に応じて所定の画像を表示させる
ものであり、ＬＣＤ（Liquid Crystal Display）ユニット７１と、ＬＣＤユニット７１に
摺動自在に設けられる３つの摺動ユニット７２と、各摺動ユニット７２を駆動する駆動手
段７３とを備える。
表示手段としてのＬＣＤユニット７１は、入力される画像信号に応じて画像を形成し、
この画像を、開口３１Ｂを介して表示するものである。したがって、パチンコ機１の遊技
者は、ＣＰＵ４１による抽選処理の結果に応じた画像を、透光性の基板３１３を介して見
ることができる。
【００２２】
〔画像表示装置の概略構成〕
図３は、画像表示装置７を前面側から見た図である。
各摺動ユニット７２は、図３に示すように、ＬＣＤユニット７１の表示面７１Ａに沿っ
て所定方向（図３中上下方向）に延出する一対の延出部８Ａを有する枠状部材８と、枠状
部材８の上下端に取り付けられる台座９とを備える。また、各摺動ユニット７２は、所定
方向と直交する方向（図３中左右方向）に隣接して表示面７１Ａに設けられるとともに、
駆動手段７３にて駆動され、所定方向に沿って摺動する。すなわち、駆動手段７３は、各
枠状部材８を所定方向に沿って摺動させる。
さらに、隣接する枠状部材８における延出部８Ａの間には、反射部材７４が設けられて
いる。この反射部材７４は、表示面７１Ａに対して傾斜するとともに、表示面７１Ａの法
線方向とは反対方向に向かう光を延出部８Ａにそれぞれ反射する平面からなる２つの反射
面７４１を有している。
【００２３】
図４は、画像表示装置７の延出部８Ａ間を直交方向に切った断面を示す図である。
延出部８Ａには、図４に示すように、反射部材７４側に開口８１が形成され、開口８１
の内部には、表示面７１Ａが露出している。また、開口８１の内部には、反射部材７４の
反射面７４１と平行し、かつ、直交方向（図４中左右方向）に対向する平面からなる反射
面８２１を有する対向部材８２が設けられている。また、対向部材８２の反射面８２１は
、反射部材７４の反射面７４１と比較して表示面７１Ａの法線方向に突出している。
【００２４】
そして、開口８１の内部に露出する表示面７１Ａの表示領域７１Ａ１には、所定の絵柄
としての画像（例えば、機械構造の画像など）が表示される。すなわち、表示面７１Ａに
表示される所定の画像は、反射面７４１から離間した位置に設けられている。
さらに、開口８１には、開口８１を介して表示面７１Ａに向かう光を遮断する偏光板８
３が設けられている。
なお、図示は省略するが、隣接する摺動ユニット７２における台座９の間を直交方向に
切った断面も前述した延出部８Ａ間を直交方向に切った断面と同様の構成を有し、台座９
は、開口、対向部材、及び偏光板を備えている。
【００２５】
次に、表示面７１Ａの法線方向とは反対方向、すなわち画像表示装置７の観察者による
観察方向に向かう光の光路について説明する。
観察方向に向かう光の光路は、図４中一点鎖線で示すように、延出部８Ａ間においては
、反射部材７４の各反射面７４１にて反射される。そして、反射部材７４の各反射面７４
１にて反射された光は、対向部材８２の反射面８２１にて反射され、開口８１の内部に露
出する表示面７１Ａの表示領域７１Ａ１に到達する。ここで、反射部材７４の各反射面７
４１から表示領域７１Ａ１に至る光路は、反射部材７４の各反射面７４１から表示面７１
Ａに至る光路と比較して長いので、観察者から見た表示領域７１Ａ１までの光路は、枠状
部材８の内側にある表示面７１Ａの表示領域７１Ａ２までの光路と比較して長くなる。
したがって、観察者からは、延出部８Ａ間に見える表示面７１Ａの表示領域７１Ａ１は
、枠状部材８の内側にある表示面７１Ａの表示領域７１Ａ２よりも遠くに見えることとな
る。
【００２６】
本実施形態に係るパチンコ機１によれば、次のような効果がある。
（１）画像表示装置７は、各枠状部材８を所定方向に沿って摺動させる駆動手段７３を備
えるので、駆動手段７３にて各枠状部材８を摺動させることで、各枠状部材８は、それぞ
れ独立した表示面を有しているように見えることとなる。よって、画像表示装置７は、１
つの表示面の表示領域内における図柄の動きや画像のみで抽選処理に関する演出をする場
合と比較して演出効果を高めることができる。
【００２７】
（２）観察者は、延出部８Ａ間を見るときに、表示面７１Ａの表示領域７１Ａ１に表示さ
れる画像を見ることとなるので、表示面７１Ａに表示させる画像を制御することで更に演
出効果を高めることができる。また、観察者は、観察方向からずれた方向から延出部８Ａ
間を見る場合であっても各延出部８Ａにおける開口８１の内部に露出する各画像を併せて
連続的に見ることができ、適切な画像を観察することができる。
【００２８】
（３）対向部材８２の反射面８２１は、反射部材７４の反射面７４１と比較して表示面７
１Ａの法線方向に突出しているので、観察者は、観察方向から大きくずれた方向から延出
部８Ａ間を見る場合であっても適切な画像を観察することができる。
（４）開口８１には、開口８１を介して表示面７１Ａに向かう光を遮断する偏光板８３が
設けられているので、観察方向からずれた方向から延出部８Ａ間を見る場合であっても延
出部８Ａ間に見える絵柄までの光路を、枠状部材８の内側にある表示面７１Ａまでの光路
と比較して確実に長くすることができる。したがって、観察者からは、延出部８Ａ間に見
える画像は、枠状部材８の内側にある表示面７１Ａよりも確実に遠くに見えることとなる
。
【００２９】
〔実施形態の変形〕
なお、本発明は前記実施形態に限定されるものではなく、本発明の目的を達成できる範
囲での変形、改良等は本発明に含まれるものである。
例えば、前記実施形態では、開口８１の内部には、表示面７１Ａが露出し、反射面８２
１を有する対向部材８２が設けられ、開口８１の内部に露出する表示面７１Ａの表示領域
７１Ａ１には、所定の絵柄としての画像が表示されていた。これに対して、例えば、表示
領域７１Ａ１上に所定の絵柄を貼り付けてもよく、開口の内部に対向部材８２を設けるこ
となく所定の絵柄を設けてもよい。要するに、開口の内部には、反射部材の反射面から離
間した位置に所定の絵柄が設けられていればよい。
【００３０】
前記実施形態では、反射部材７４の各反射面７４１、及び対向部材８２の反射面８２１
は、平面とされていたが、各反射面は、曲面であってもよい。
前記実施形態では、対向部材８２の反射面８２１は、反射部材７４の反射面７４１と比
較して表示面７１Ａの法線方向に突出していたが、突出していなくてもよい。
前記実施形態では、開口８１には、偏光板８３が設けられていたが、偏光板８３は、設
けられていなくてもよい。また、偏光板に代えて、例えば、光の透過方向に選択性を有す
るようなフィルタを開口に設けるようにしてもよい。
【００３１】
前記実施形態では、画像表示装置７は、枠状部材８の上下端に取り付けられる台座９を
備えていたが、台座９に代えて、例えば、布などによって枠状部材の上下に露出する表示
手段の表示面を覆うようにしてもよい。要するに、延出部間に見える画像を、枠状部材の
内側にある表示面よりも遠くに見えるように画像表示装置を構成すればよい。
前記実施形態では、画像表示装置７は、３つの枠状部材８を備えていたが、２つ以上の
枠状部材を備えていればよい。
前記実施形態では、遊技機としてパチンコ機１を例示したが、例えば、パチスロ機等の
他の遊技機であってもよい。
【産業上の利用可能性】
【００３２】
本発明は、遊技機に利用でき、特に、画像表示装置を備える遊技機に好適に利用するこ
とができる。
【符号の説明】
【００３３】
１…パチンコ機（遊技機）、７…画像表示装置、８…枠状部材、８Ａ…延出部、７１…
ＬＣＤユニット（表示手段）、７１Ａ…表示面、７３…駆動手段、７４…反射部材、８１
…開口、８２…対向部材、８３…偏光板。
【図１】
2010220719.tif 000003
【図２】
2010220719.tif 000004
【図３】
2010220719.tif 000005
【図４】
2010220719.tif 000006